(57)【要約】【課題】風切り音が大きいゴルフクラブの提供。【解決手段】シャフト装着部１２を有するゴルフクラブヘッド８と、シャフト装着部１２に装着されたシャフト４と、上記シャフト装着部１２の近傍に設けられたフェラル１０とを備えたゴルフクラブ２である。フェラル１０は、外部に開口する凹部２４を有している。この凹部２４の深さＦは、２ｍｍ以上とされている。好ましくは、凹部２４が、ゴルフクラブヘッド８側に向かって開口している。また、凹部は、上記フェラルと上記シャフトとにより形成されたものでもよい。好ましくは、フェラル１０は、周方向の全周に亘って設けられた凹部２４と、この凹部２４の径方向外側に設けられ凹部の壁面の一部を構成する外周部１８とを有する。好ましくは、この外周部１８の肉厚は、０．５ｍｍ以上である。【選択図】図１
2007209573.tif 000002
【特許請求の範囲】
【請求項１】
シャフト装着部を有するゴルフクラブヘッドと、上記シャフト装着部に装着されたシャフトと、上記シャフト装着部の近傍に設けられたフェラルとを備え、
上記フェラルは、外部に開口する凹部を有し、
この凹部の深さが、２ｍｍ以上であるゴルフクラブ。
【請求項２】
上記凹部が、ゴルフクラブヘッド側に向かって開口している請求項１に記載のゴルフクラブ。
【請求項３】
シャフト装着部を有するゴルフクラブヘッドと、上記シャフト装着部に装着されたシャフトと、上記シャフト装着部の近傍に設けられたフェラルとを備え、
上記フェラルと上記シャフトとにより、外部に開口する凹部が形成され、
この凹部の深さが、２ｍｍ以上であるゴルフクラブ。
【請求項４】
上記凹部が、ゴルフクラブヘッド側に向かって開口している請求項３に記載のゴルフクラブ。
【請求項５】
上記フェラルは、周方向の全周に亘って設けられた上記凹部と、この凹部の径方向外側に設けられ凹部の壁面の一部を構成する外周部とを有し、
この外周部の肉厚は、０．５ｍｍ以上である請求項２又は４に記載のゴルフクラブ。
【発明の詳細な説明】
【技術分野】
【０００１】
本発明は、フェラルを備えたゴルフクラブに関する。
【背景技術】
【０００２】
ゴルフクラブは、通常、フェラルを備えている。このフェラルは、ソケットとも称されている。
【０００３】
ゴルフクラブは、ゴルフクラブヘッドと、このヘッドに装着されたシャフトとを備えている。多くのゴルフクラブにおいて、シャフトは、ヘッドのネック部（ホーゼル部）に設けられたシャフト穴に挿入され且つ接着されている。フェラルが無い場合、ネック端面の厚みに起因する段差が視認される。この段差により、ゴルフクラブの美観が損なわれる。フェラルは、この段差を目立たなくし、ゴルフクラブの外観を向上させる役割を果たす。この役割を果たすため、通常、フェラルの外周面は、ヘッドのネック端面の外径を最大径とする円錐面とされる。換言すれば、従来のフェラルには、ヘッド寄りとなるにつれて徐々に拡径するようなテーパーが付与されており、ヘッド側の端部においてフェラル外径が最大径とされている。
【０００４】
フェラルは、他の役割をも果たしうる。例えば、フェラルは、ネック端面からはみ出た接着剤を隠す役割を果たしうる。また、フェラルは、ネック端面近傍におけるシャフトへの応力集中を緩和する役割を果たしうる。
【０００５】
特開２００３−５２８６４公報は、トウダウンによるシャフトのたわみ量を抑制することができるとするソケットを開示する。このソケットは、筒部と、筒部からシャフトに沿って突出する補助桿を有している。
【特許文献１】特開２００３−５２８６４公報
【発明の開示】
【発明が解決しようとする課題】
【０００６】
本発明は、従来技術とは全く異なる課題に基づきなされたものである。本発明と従来技術とは、技術思想が全く異なる。本発明は、スイング時にフェラルから発生する風切り音に関連する。
【０００７】
従来のフェラルは、通常、円錐形の外面を有する筒状の部材である。前述したように、従来のフェラルの外周面の最大径は、ヘッドのネック端面の外径と略同一とされている。このような従来のフェラルは、人間の聴覚で認識されうるような風切り音を発生させない。
【０００８】
ところで、従来のフェラルが装着されたゴルフクラブを、ヘッドスピードの比較的速いゴルファー（例えば、ヘッドスピードが４５ｍ／ｓ以上のゴルファー）がスイングすると、比較的大きな風切り音が生じる。一方、従来のフェラルが装着されたゴルフクラブを、ヘッドスピードの比較的遅いゴルファー（例えば、ヘッドスピードが４０ｍ／ｓ以下のゴルファー）がスイングすると、風切り音は、非常に小さい。従来のフェラルが装着されたゴルフクラブにより発生する風切り音は、シャフト又はヘッドによる風切り音である。従来のフェラルの形状や大きさを考慮すれば、従来のフェラルにおいて、フェラルに起因する風切り音は、ほとんど無いと考えられる。
【０００９】
鋭意研究の結果、本発明者は、フェラルの風切り音が、ゴルファーに極めて良い影響を与えることを見出した。フェラルから風切り音が発生するゴルフクラブを、ヘッドスピードの比較的遅いゴルファーがスイングすると、このゴルファーは、ヘッドスピードが速くなったような感覚を覚えることが分かった。この感覚は、ゴルファーを心地よくする。この心地よさは、ゴルファーのスイングを円滑にする要因となりうる。ゴルフがメンタルなスポーツ（心理的な影響が大きいスポーツ）であることは良く知られている。実際にヘッドスピードが速くなっていないとしても、ヘッドスピードが速いと感じたゴルファーは、良い影響を受ける。気分の良い状態でスイングすることにより、スイングがスムースとなりうる。スムースなスイングにより、実際にヘッドスピードが向上する場合もありうる。
【００１０】
本発明の目的は、風切り音を発生しうるフェラルを備えたゴルフクラブの提供にある。
【課題を解決するための手段】
【００１１】
本発明に係るゴルフクラブは、シャフト装着部を有するヘッドと、上記シャフト装着部に装着されたシャフトと、上記シャフト装着部の近傍に設けられたフェラルとを備える。上記フェラルは、外部に開口する凹部を有する。この凹部の深さは、２ｍｍ以上とされている。
【００１２】
本発明に係る他のゴルフクラブは、シャフト装着部を有するヘッドと、上記シャフト装着部に装着されたシャフトと、上記シャフト装着部の近傍に設けられたフェラルとを備える。このゴルフクラブにおいて、上記フェラルと上記シャフトとにより、外部に開口する凹部が形成されている。この凹部の深さは、２ｍｍ以上とされている。
【００１３】
好ましくは、上記凹部が、ヘッド側に向かって開口している。
【００１４】
好ましくは、上記フェラルは、上記フェラルは、周方向の全周に亘って設けられた上記凹部を有している。好ましくは、上記フェラルは、上記凹部の径方向外側に設けられ凹部の壁面の一部を構成する外周部を有している。好ましくは、上記外周部の肉厚は、０．５ｍｍ以上である。
【発明の効果】
【００１５】
本発明のゴルフクラブは、従来のゴルフクラブよりも大きな風切り音を発生しうる。この風切り音は、ゴルファーにヘッドスピードが速いという感覚を与えうる。
【発明を実施するための最良の形態】
【００１６】
以下、適宜図面が参照されつつ、好ましい実施形態に基づいて本発明が詳細に説明される。
【００１７】
図１は、本発明の第一実施形態に係るゴルフクラブ２の全体図である。ゴルフクラブ２は、シャフト４と、グリップ６と、ゴルフクラブヘッド８とを備えている。ゴルフクラブヘッド８は、ウッド型ゴルフクラブヘッドである。更にゴルフクラブ２は、フェラル１０を備えている。フェラル１０は、シャフト４とゴルフクラブヘッド８との境界部に設けられている。ゴルフクラブヘッド８は、シャフト装着部としてのホーゼル部１２を有している。なお、シャフト装着部は、シャフトが装着されうる限り、その形状や構造等は限定されない。シャフト装着部には、いわゆるホーゼル部、ネック部及びソケット部が含まれる。ホーゼル部１２の内部には、シャフト穴１４が設けられている。図１において、シャフト穴１４は破線で示されている。シャフト穴１４の内径は、シャフト４の先端部の外径と略同一である。シャフト４の先端部は、シャフト穴１４に挿入され、且つ、シャフト穴１４の内面と接着されている。
【００１８】
図２は、図１のII-II線に沿った断面図である。図２は、径方向に沿った断面図である。図３は、図２のIII−III線に沿った断面図である。図３は、シャフト軸を含む平面による断面図である。なお、図３において、シャフト４は、断面化されていない。
【００１９】
シャフト４は、管状である（図２参照）。シャフト４の外周面は、円周面である。本願において、シャフトの周方向が単に周方向とも称され、シャフトの径方向が単に径方向とも称される。
【００２０】
フェラル１０は、円筒状の外周部１８と、円筒状の内周部２０とを有する。フェラル１０の外周面１６は、円周面である。円筒状の外周部１８の内径は、円筒状の内周部２０の外径よりも大きい。その結果、円筒状の外周部１８と円筒状の内周部２０との間には、隙間ｓ１が形成されている。隙間ｓ１は、円筒状の空間である。更に、フェラル１０は、円筒状の外周部１８のグリップ側縁部と、円筒状の内周部２０のグリップ側縁部との間に延びる連結部２２を有する。連結部２２は、円環状である。連結部２２は、径方向に延びている。円筒状の内周部２０の内周面２１と、シャフト４の外周面とが接触している。この内周面２１は、フェラル１０のシャフト挿入孔である。図示しないが、このシャフト挿入孔は、グリップ側からヘッド側に向かって徐々に縮径するようなテーパー孔とされている。このテーパー孔の最小径は、シャフト外径ｄｓ（フェラルに挿入された部分におけるシャフト外径ｄｓ）よりも僅かに小さくされている。シャフト４は、フェラルを弾性変形させながらフェラル１０のシャフト挿入孔に圧入される。シャフト４が挿入された状態において、フェラル１０は、シャフト４を縮径するように圧縮している。この圧縮に伴う押圧力により、フェラル１０はシャフト４の外周面に固定されうる。シャフト４と、フェラル１０とは、同軸で配置されている。円筒状の外周部１８の軸線は、シャフト４の軸線と略同一である。円筒状の内周部２０の軸線は、シャフト４の軸線と略同一である。
【００２１】
本発明に係るフェラルは、凹部を有する。この凹部は、フェラルに形成された凹部（第一種の凹部）と、フェラル及びシャフトにより形成された凹部（第二種の凹部）とに大別される。本願においては、第一種の凹部と、第二種の凹部とのいすれもが、単に凹部と称される。本発明の凹部は、フェラルに形成された凹部（第一種の凹部）でもよいし、フェラル及びシャフトにより形成された凹部（第二種の凹部）でもよい。フェラル１０の凹部２４は、フェラルに形成された凹部２４である。上述した隙間ｓ１の一端部が連結部２２により閉じられた結果、凹部２４が形成されている。凹部２４は、周方向に均等に配置されている。凹部２４は、周方向の全周に亘って連続している。外周部１８の径方向内側に、凹部２４が形成されている。フェラル１０の凹部２４は、ゴルフクラブヘッド８側にのみ開口している。フェラル１０の凹部２４は、周方向外側には開口していない。フェラル１０の凹部２４は、グリップ側には開口していない。隙間ｓ１は、ヘッド側（図３における下方）に開放されている。隙間ｓ１のグリップ側（図３における上方）は、閉じられている。
【００２２】
凹部２４は、ゴルフクラブヘッド８側に向かって開口している。ゴルフクラブヘッド８のネック端面２６は、凹部２４の開口を狭くしている。しかし、ネック端面２６は、凹部２４の開口を閉塞していない。このフェラル１０の外周面１６の最大外径ｄ１は、ホーゼル部１２のネック端面２６の外径ｄ２よりも大きい。更に、フェラル１０の最大内径ｄ３は、ネック端面２６の外径ｄ２よりも大きい（図３参照）。スイングにより、フェラル１０は空気中を高速で移動する。この移動は、フェラル１０に対する相対的な空気の流れを生じさせる。この空気の流れにより、外部の空気は、凹部２４の開口から、凹部２４の内部に流入しうる。凹部２４により、乱流が生じうる。凹部２４に流入した空気により、共鳴が生じうる。この共鳴は、風切り音を増幅しうる。凹部２４への空気の流入、凹部２４により生ずる乱流、共鳴等により、風切り音が生じうる。この風切り音は、大きい。この風切り音は、スイングするゴルファーが認識しうる程度の音量を有しうる。この風切り音は、ゴルファーに対して、ヘッドスピードが速いという感覚を与えうる。この感覚により、ゴルファーは、気持ちよくスイングすることができる。なお、連結部２２や外周部３４の一部に、貫通孔が設けられていても良い。                                         
【００２３】
フェラル１０において、外周部１８は、凹部の径方向外側の壁面１９を形成するように設けられている。外周部１８は、凹部の壁面の一部を構成している。このような外周部１８の径方向内側に設けられた凹部２４は、音の共鳴を発生させやすい。この共鳴は、風切り音を大きくしうる。この凹部２４は、大きな風切り音を発生させやすい。
【００２４】
前述したように、凹部２４は、ゴルフクラブヘッド８側に向かって開口している。よって、ゴルフクラブを構えた状態（アドレス）において、凹部２４は、ほぼ鉛直下方に向かって開口する。凹部２４内に入り込んだ異物（例えば、砂、土、雨水等）は、引力又はスイング時の遠心力により、外部に排出されやすい。
【００２５】
フェラル１０において、凹部の深さＦ（図３参照）は、２ｍｍ以上とされている。凹部の深さＦが深くされることにより、風切り音が大きくされうる。本実施形態においては、凹部の深さＦは、シャフト軸の方向で測定される。
【００２６】
図４及び図５は、本発明の第二実施形態に係るフェラル３０を備えたゴルフクラブ３２の、フェラル３０部分における断面図である。図４は、径方向に沿った断面図であり、図５は、シャフト軸を含む平面による断面図である。ゴルフクラブ３２において、シャフト４及びホーゼル部１２の構成は、第一実施形態に係るゴルフクラブ２と同一である。以下において、シャフト４及びホーゼル部１２に関しては、ゴルフクラブ２と同一の符合が付されるとともに説明が省略される。図５のIV−IV線に沿った断面図が、図４である。
【００２７】
フェラル３０は、円筒状の外周部３４を有する。フェラル３０は、外周部３４のヘッド側縁部から径方向内側に延びるフランジ部３６を有する。フランジ部３６は、円環状である。フランジ部３６は、外周部３４のヘッド側の縁部から、シャフト４の外周面にまで延在している。フェラル３０とシャフト４との接触部分は、フランジ部３６の内周面３８のみである。この内周面３８が、シャフト挿入孔を構成している。外周部３４の内径は、シャフト４の外径よりも大きい。その結果、外周部３４とシャフト４との間には隙間ｓ２が存在している。
【００２８】
ゴルフクラブ３２は、凹部４０を有する。この凹部４０は、フェラル及びシャフトにより形成された凹部である。隙間ｓ２のグリップ側の端部がフランジ部３６で閉じられることにより、凹部４０が形成されている。凹部４０は、周方向に均等に配置されている。凹部４０は、周方向の全周に亘って連続している。外周部３４の径方向内側に、凹部４０が形成されている。凹部４０は、ゴルフクラブヘッド８側にのみ開口している。凹部４０は、周方向外側には開口していない。凹部４０は、グリップ側には開口していない。隙間ｓ２は、ヘッド８側に開放されている。隙間ｓ２のグリップ側の端部は、閉じられている。
【００２９】
凹部４０は、ゴルフクラブヘッド８側に向かって開口している。ゴルフクラブヘッド８のネック端面２６は、凹部４０の開口を狭くしている。しかし、ネック端面２６は、凹部４０を閉塞していない。外周部３４の最大内径ｄ３は、ネック端面２６の最大外径ｄ２よりも大きい（図５参照）。凹部４０が風切り音を発生させる理由は、前述した凹部２４の場合と同様である。なお、外周部３４の一部に、貫通孔が設けられていても良い。
【００３０】
フェラル３０において、外周部３４は、凹部４０の径方向外側の壁面４１を形成するように設けられている。このような外周部３４は、振動しやすい。このような外周部３４の径方向内側に設けられた凹部４０は、音の共鳴を発生させやすい。この凹部４０は、大きな風切り音を発生させやすい。
【００３１】
ゴルフクラブ３２において、凹部の深さＦ（図５参照）は、２ｍｍ以上とされている。凹部の深さＦが深くされることにより、風切り音が大きくなる。本実施形態においては、凹部の深さＦは、シャフト軸の方向で測定される。
【００３２】
図６は、本発明の第三実施形態に係るフェラル４２を備えたゴルフクラブの、フェラル４２近傍における図である。図７は、図６のVII−VII線に沿った断面図である。図８は、図６のVIII−VIII線に沿った断面図である。
【００３３】
フェラル４２は、３つの凹部４４を有する。この凹部４４は、フェラル４２の外周面４６に設けられている。外周面４６は、円錐面である。この凹部４４は、外部に開口している。フェラル４２においては、複数の凹部４４が、フェラルの周方向に対して均等に配置されている。フェラル４２においては、複数の凹部４４は全て同一形状である。凹部４４は、フェラル４２のグリップ側端面４８から、フェラル４２のヘッド側端面５０にまで至っている。凹部４４は、軸方向に延びている。
【００３４】
凹部４４の深さＦは、２ｍｍ以上とされている。スイングに伴い、凹部４４は空気中を高速で移動する。この移動により、フェラル４２に対して相対的な空気の流れが発生する。この空気の流れにより、風切り音が発生しうる。凹部４４には、径方向外側から空気が流入しうる。凹部４４には、グリップ側端面４８から空気が流入しうる。凹部４４には、ヘッド側端面５０から空気が流入しうる。
【００３５】
フェラル１０の外周面４６の最大径ｄ１は、ホーゼル部１２のネック端面２６の外径ｄ２よりも大きい（図６参照）。最大径ｄ１が大きくされることにより、凹部４４の深さＦを深くすることができる。
【００３６】
図９は、本発明の第四実施形態に係るフェラル５２を備えたゴルフクラブの、フェラル５２近傍における側面図である。図１０は、フェラル５２の軸方向断面図である。フェラル５２は、複数の部材よりなる。具体的には、フェラル５２は、２つの部材より成る。フェラル５２は、複数の板状部材を、軸方向隙間を介して配置することにより構成されている。フェラル５２は、グリップ側に配置された第一部材５４と、ヘッド側に配置された第二部材５６とを有する。第一部材５４は、円環状の部材である。第二部材５６は、円環状の部材である。第一部材５４と、第二部材５６とは、同軸で配置されている。フェラル５２は、複数の円環状の部材を、軸方向隙間を介して配置することにより構成されている。第一部材５４と第二部材５６とは、同一形状である。第一部材５４と第二部材５６とは、互いに対向している。第一部材５４と第二部材５６との間には、隙間ｓ３が設けられている。隙間ｓ３は、円環状である。第一部材５４と、第二部材５６と、シャフト４とにより、凹部５８が形成されている。凹部５８は、シャフト４の周囲の全周に亘って設けられている。凹部５８には、径方向外側から空気が流入しうる。径方向外側に突出する第一部材５４及び第二部材５６は、振動しやすい。凹部５８は、大きな風切り音を発生しうる。
【００３７】
凹部５８の深さＦは、２ｍｍ以上とされている。即ち、第一部材５４及び第二部材５６の径方向幅Ｗ１は、２ｍｍ以上である。径方向幅Ｗ１は、ネック端面２６におけるホーゼル部１２の肉厚よりも大きい。
【００３８】
図１１は、本発明の第五実施形態に係るフェラル６０を備えたゴルフクラブの、フェラル６０近傍における側面図である。図１２は、フェラル６０の軸方向断面図である。フェラル６０は、円筒状の中央部６２と、この中央部６２の軸方向一端側（グリップ側）に設けられ中央部６２によりも径方向外側に突出する第一突出部６４と、この中央部６２の軸方向他端側（ヘッド側）に設けられ中央部６２よりも径方向外側に突出する第二突出部６６とを有する。第一突出部６４と第二突出部６６との間には、隙間ｓ４が存在する。隙間ｓ４の軸方向長さは、中央部６２の軸方向長さと同一である。
【００３９】
第一突出部６４は、円環状である。第二突出部６６は、円環状である。中央部６２と、第一突出部６４と、第二突出部６６とは、同軸で配置されている。第一突出部６４の外径と、第二突出部６６の外径とは同一である。第一突出部６４及び第二突出部６６の外径は、中央部６２の外径よりも大きい。第一突出部６４及び第二突出部６６の外径は、ネック端面２６の外径よりも大きい。シャフト４は、第一突出部６４、中央部６２及び第二突出部６６を貫通している。
【００４０】
フェラル６０は、外部に開口する凹部６８を有している。凹部６８は、径方向外側に開口している。第一突出部６４と、第二突出部６６と、中央部６２とにより、凹部６８が形成されている。凹部６８は、シャフト４の周囲の全周に亘って設けられている。凹部６８には、径方向外側から空気が流入しうる。
【００４１】
凹部６８の深さＦは、２ｍｍ以上とされている。即ち、第一突出部６４の外径と中央部６２の外径との差が２ｍｍ以上であり、且つ、第二突出部６６の外径と中央部６２の外径との差が、２ｍｍ以上である。第一突出部６４及び第二突出部６６の外径は、ネック端面２６の外径よりも大きい。径方向外側に突出する第一突出部６４及び第二突出部６６は、振動しやすい。凹部６８は、大きな風切り音を発生しうる。
【００４２】
図１３は、本発明の第六実施形態に係るフェラル７０を備えたゴルフクラブの、フェラル７０近傍における側面図である。図１４は、フェラル７０の軸方向断面図である。
【００４３】
このフェラル７０は、複数の凹部７２を有している。凹部７２は、凸部７４により形成されている。隣接する凸部７４間に、凹部７２が形成されている。複数の円環状の凸部７４が、所定の軸方向隙間を介して配置されている。
【００４４】
全ての凸部７４の外周面７６は、単一の仮想円錐面ｒ１上にある。全ての凹部７２の底面７８は、単一の仮想円錐面ｒ２上にある。凹部７２は、周方向の全周に亘って設けられている。凸部７４は、周方向の全周に亘って設けられている。凹部７２は、軸方向において略等間隔おきに配置されている。凹部７２は、周溝である。凹部７２は、周方向の全周に亘って設けられている。凹部７２のそれぞれは、周方向に均等である。凹部７２は、径方向外側に開口している。凹部７２には、径方向外側から空気が流入しうる。凹部７２の深さＦは、２ｍｍ以上とされている。
【００４５】
フェラルの材質は、特に限定されない。フェラルの材質として、硝酸セルロースや酢酸セルロース等のセルロース、ポリアミド樹脂、ＡＢＳ樹脂、ポリ塩化ビニル樹脂、エチレン酢酸ビニル樹脂、フェノキシ樹脂、アルミニウム、アルミニウム合金、チタン、チタン合金、銅、真鍮、鉄等が例示されうる。フェラルの製法として、射出成形、旋盤等による削りだし及び鋳造が例示される。
【００４６】
本発明における凹部は、深さが２ｍｍ以上であればよく、その形態は特に限定されない。フェラルの形状が周方向の全周に亘って均等であると、ゴルフクラブをアドレスしたときの違和感が少ない。また、凹部が、周方向の全周に亘って均等であると、周方向位置による風切り音の変化が少なく好ましい。これらの観点から、凹部は、周方向の全周に亘って均等に設けられているのが好ましい。「周方向の全周に亘って均等」とは、シャフト軸（フェラル軸）を含む平面による断面が、この平面の周方向位置によらず一定であることを意味する。前述した各実施形態のうち、フェラル１０、フェラル３０、フェラル５２、フェラル６０及びフェラル７０については、その凹部が、周方向の全周に亘って均等である。
【００４７】
凹部の深さＦを深くして風切り音を大きくする観点から、フェラルの最大外径（前述したフェラルの外周面の最大径ｄ１）は、フェラルに挿入された部分におけるシャフト外径ｄｓの２倍以上であるのが好ましく、２．２倍以上であるのがより好ましい。外観上の違和感を抑制するとともにフェラル重量の過度の増加を抑える観点から、フェラルの最大外径は、フェラルに挿入された部分におけるシャフト外径ｄｓの４倍以下であるのが好ましい。
【００４８】
凹部の深さＦは、２ｍｍ以上であれば、特に限定されない。凹部の深さＦは、例えば１０ｍｍより大きくても良い。風切り音を大きくする観点から、凹部の深さＦは、２ｍｍ以上が好ましく、３ｍｍ以上がより好ましく、５ｍｍ以上が特に好ましい。過度に大きなフェラルによる外観上の違和感を抑制する観点から、凹部の深さＦは、２０ｍｍ以下が好ましく、１５ｍｍ以下がより好ましく、１０ｍｍ以下が特に好ましい。
【００４９】
風切り音を大きくする観点から、凹部の幅Ｈは、２ｍｍ以上が好ましく、３ｍｍ以上がより好ましく、５ｍｍ以上が特に好ましい。一方、凹部の幅Ｈが過度に広すぎると、凹部が無い状態に近くなり、風切り音が小さくなる。この観点から、凹部の幅Ｈは１０ｍｍ以下が好ましく、７ｍｍ以下がより好ましい。
【００５０】
ネック端面の肉厚ｔ１（図５参照）は、通常、１．５〜２ｍｍである。凹部の深さＦ又は凹部の幅Ｈを好ましい範囲とする観点から、上記最大径ｄ１から、上記シャフト外径ｄｓを引いた値（ｄ１−ｄｓ）を２で割った値、即ち、（ｄ１−ｄｓ）／２は、ネック端面の肉厚ｔ１よりも大きいのが好ましく、ｔ１よりも１ｍｍ以上大きいのがより好ましい。
【００５１】
フェラルの強度又は剛性を高める観点から、フェラルの最小肉厚は、０．５ｍｍ以上であるのが好ましく、１ｍｍ以上であるのがより好ましい。過度の重量増加を抑制する観点から、フェラルの最大肉厚は、５ｍｍ以下であるのが好ましい。
【００５２】
凹部の径方向外側の壁面を形成するように設けられた外周部としては、前述した外周部１８及び外周部３４が例示される。外周部の剛性が過度に低くなるのを防止して風切り音の音色を良くするとともに、外周部の強度を高める観点から、この外周部の肉厚ｔ２は、０．５ｍｍ以上が好ましく、１ｍｍ以上がより好ましい。フェラルの過度の重量増加を抑制する観点から、外周部の肉厚ｔ２は５ｍｍ以下とされるのが好ましい。なお、この外周部は、外周部１８や外周部３４のように円筒状であってもよいし、円筒状でなくてもよい。
【００５３】
風切り音を大きくし且つフェラルの強度を高める観点から、フェラルの体積は、３ｃｍ３以上が好ましく、５ｃｍ３以上がより好ましい。フェラルの過度な重量増加を抑制するとともに、フェラルの過度な高剛性化を抑制してシャフトのしなりを妨げないようにする観点から、フェラルの体積は、５０ｃｍ３以下が好ましく、４５ｃｍ３以下がより好ましい。
【００５４】
風切り音を大きくし且つフェラルの強度を高める観点から、フェラルの重量は、３ｇ以上が以上が好ましい。フェラルの過度な重量増加を抑制するとともに、フェラルの過度な高剛性化を抑制してシャフトのしなりを妨げないようにする観点から、フェラルの重量は、６０ｇ以下が好ましい。過度の重量増加を抑制する観点から、フェラルの材質は、樹脂又はＦＲＰ（繊維強化プラスチック）が特に好ましい。
【００５５】
フェラルは、シャフト外周面に対するフェラルの押圧力によりシャフトに固定されていてもよいし、接着剤によりシャフトに固定されていてもよい。フェラルを外れにくくする観点から、フェラルは、フェラルの前記押圧力と接着剤とによりシャフトに固定されているのが好ましい。
【００５６】
形状上の違和感を抑制する観点から、本発明のフェラルにおいて、全てのシャフト軸線方向位置における径方向断面が円形又は円環状とされるのが好ましい。
【００５７】
凹部の深さＦ又は凹部の幅Ｈを大きくして風切り音を大きくする観点から、フェラルのシャフト軸線方向長さＬ（図３等参照）は、５ｍｍ以上が好ましく、７ｍｍ以上がより好ましく、１０ｍｍ以上が特に好ましい。外観上の違和感を抑制するとともに、過度の重量増加を抑制する観点から、フェラルのシャフト軸線方向長さＬは、４０ｍｍ以下が好ましい。
【実施例】
【００５８】
以下、実施例によって本発明の効果が明らかにされるが、この実施例の記載に基づいて本発明が限定的に解釈されるべきではない。
【００５９】
［実施例１］
前述した第一実施形態に係るフェラル１０を、実施例１に係るフェラルとした。フェラル１０の外周面１６の最大径ｄ１が３２ｍｍとされ、凹部の深さＦは５ｍｍとされ、凹部の幅Ｈは５ｍｍとされ、フェラルのシャフト軸線方向長さＬは１５ｍｍとされた。フェラルの材質は、酢酸セルロースとされた。フェラルのシャフト挿入孔はテーパー形状とされ、このシャフト挿入孔の内径は、最小内径が８．９ｍｍとされ、最大内径が９．１ｍｍとされた。このフェラルを用いて、前述したゴルフクラブ２と同様のゴルフクラブを作製した。シャフトとフェラルとは、接着剤により接着した。シャフトは、ＳＲＩスポーツ株式会社製のＳＰ３００（Ｒ）を用いた。このシャフトの先端径は９．０ｍｍであり、フェラルに挿入された部分におけるシャフト外径ｄｓも９．０ｍｍである。ヘッドとしては、２００６年１月に発売中のＸＸＩＯ  ＰＲＩＭＥ（ゼクシオプライム）のドライバーヘッド（ＳＲＩスポーツ株式会社製）を用いた。クラブの長さは、４６インチとした。グリップは、上記ゼクシオプライムに装着されている標準品を用いた。
【００６０】
［実施例２］
フェラルとして、前述した第二実施形態に係るフェラル３０が用いられ、フェラル仕様が表１で示されるようにされた点以外は、実施例１と同様にして、実施例２に係るゴルフクラブを得た。  
【００６１】
［実施例３］
フェラルとして、前述した第三実施形態に係るフェラル４２が用いられ、フェラル仕様が表１で示されるようにされた点以外は、実施例１と同様にして、実施例３に係るゴルフクラブを得た。
【００６２】
［実施例４］
フェラルとして、前述した第四実施形態に係るフェラル５２が用いられ、フェラル仕様が表１で示されるようにされた点以外は、実施例１と同様にして、実施例４に係るゴルフクラブを得た。
【００６３】
［実施例５］
フェラルとして、前述した第五実施形態に係るフェラル６０が用いられ、フェラル仕様が表１で示されるようにされた点以外は、実施例１と同様にして、実施例５に係るゴルフクラブを得た。
【００６４】
［実施例６］
凹部の深さＦが３ｍｍとされた点以外は、実施例１と同様にして、実施例６に係るゴルフクラブを得た。実施例６に係るフェラルは、前述した第一実施形態に係るフェラル１０である。
【００６５】
［実施例７］
凹部の深さＦが１０ｍｍとされた点以外は、実施例１と同様にして、実施例７に係るゴルフクラブを得た。実施例７に係るフェラルは、前述した第一実施形態に係るフェラル１０である。
【００６６】
［比較例１］
フェラルとして、実施例１のフェラルと同じ外形で凹部の無いものが用いられた点以外は、実施例１と同様にして、実施例７に係るゴルフクラブを得た。このフェラルは、８．９〜９．１ｍｍの内径と、３２ｍｍの外径とを有し、径方向厚みが約１１．５ｍｍで一定とされた管状体である  
【００６７】
なお、全ての実施例及び比較例において、フェラルのシャフト挿入孔はテーパー形状とされ、このシャフト挿入孔の内径は、最小内径が８．９ｍｍとされ、最大内径が９．１ｍｍとされた。
【００６８】
各実施例及び比較例の仕様及び評価結果が、下記の表１で示される。
【００６９】
［評価］
各実施例及び比較例は、以下のようにして評価した。
【００７０】
［フェラルの強度］
フェラルに挿入された部分におけるシャフト外径ｄｓが９．０ｍｍであるシャフトをフェラルのシャフト穴に挿入し、フェラルが変形又は破壊されるか否かをテストした。５つのフェラルについてテストを行った。変形又は破壊が１つ以上発生したものの評価が×とされ、変形又は破壊が１つも発生しなかったものの評価が○とされた。この評価が、下記の表１で示される。
【００７１】
［風切り音の大きさ］
１０名のテスターが５段階評価した。１０名のテスターのヘッドスピードの平均値は、３５ｍ／ｓであり、１０名のテスターの平均年齢は、５７歳である。評価は、以下のような５段階評価とされた。
風切り音が非常に大きい          ・・・  ５点
風切り音が大きい                ・・・  ４点
風切り音の大きさは普通          ・・・  ３点
風切り音は小さい                ・・・  ２点
風切り音は聞こえない            ・・・  １点
１０名のテスターの評価点の平均値を四捨五入したものが、評価点とされた。この評価点が、下記の表１で示される。
【００７２】
［風切り音の高さ］
上記１０名のテスターが５段階評価した。評価は、以下のような５段階評価とされた。
風切り音が非常に高い            ・・・  ５点
風切り音が高い                  ・・・  ４点
風切り音の高さは普通            ・・・  ３点
風切り音は低い                  ・・・  ２点
風切り音は非常に低い            ・・・  １点
１０名のテスターの評価点の平均値を四捨五入したものが、評価点とされた。この評価点が、下記の表１で示される。
【００７３】
［スイングの速さ］
上記１０名のテスターが、スイング時に感じるスイング速さを５段階評価した。評価は、以下のような５段階評価とされた。
普段より非常に速く感じる        ・・・  ５点
普段より速く感じる              ・・・  ４点
普段と同じに感じる              ・・・  ３点
普段より遅く感じる              ・・・  ２点
普段より非常に遅く感じる        ・・・  １点
１０名のテスターの評価点の平均値を四捨五入したものが、評価点とされた。この評価点が、下記の表１で示される。
【００７４】
［振り易さ］
上記１０名のテスターが、スイング時の振りやすさを５段階評価した。評価は、以下のような５段階評価とされた。
非常に振りやすい                ・・・  ５点
振りやすい                      ・・・  ４点
普通                            ・・・  ３点
振りにくい                      ・・・  ２点
非常に振りにくい                ・・・  １点
１０名のテスターの評価点の平均値を四捨五入したものが、評価点とされた。この評価点が、下記の表１で示される。
【００７５】
［構え易さ］
上記１０名のテスターが、アドレス時における構えやすさを５段階評価した。評価は、以下のような５段階評価とされた。
非常に構えやすい                ・・・  ５点
構えやすい                      ・・・  ４点
普通                            ・・・  ３点
構えにくい                      ・・・  ２点
非常に構えにくい                ・・・  １点
１０名のテスターの評価点の平均値を四捨五入したものが、評価点とされた。この評価点が、下記の表１で示される。
【００７６】
【表１】
2007209573.tif 000003
【００７７】
表１に示されるように、実施例は、比較例に比べて評価が高い。この評価結果から、本発明の優位性は明らかである。全ての実施例及び比較例において、クラブバランスは同一とされたが、振り易さは、実施例の方が評価が高かった。これは、風切り音が大きいことにより、テスターが、気分よくスイングしたことが原因であると考えられる。
【図面の簡単な説明】
【００７８】
【図１】図１は、本発明の第一実施形態に係るゴルフクラブの全体図である。
【図２】図２は、図１のII−II線に沿った断面図である。
【図３】図３は、図２のIII−III線に沿った断面図である。
【図４】図４は、本発明の第二実施形態に係るゴルフクラブの、フェラル部分における径方向断面図である。これは、図５のIV−IV線に沿った断面図である。
【図５】図５は、本発明の第二実施形態に係るゴルフクラブの、フェラル部分における軸方向断面図である。。
【図６】図６は、本発明の第三実施形態に係るゴルフクラブの、フェラル部分における側面図である。
【図７】図７は、図６のVII−VII線に沿った断面図である。
【図８】図８は、図６のVIII−VIII線に沿った断面図である。
【図９】図９は、本発明の第四実施形態に係るゴルフクラブの、フェラル部分における側面図である。
【図１０】図１０は、本発明の第四実施形態に係るゴルフクラブの、フェラル部分における軸方向断面図である。
【図１１】図１１は、本発明の第五実施形態に係るゴルフクラブの、フェラル部分における側面図である。
【図１２】図１２は、本発明の第五実施形態に係るゴルフクラブの、フェラル部分における軸方向断面図である。
【図１３】図１３は、本発明の第六実施形態に係るゴルフクラブの、フェラル部分における側面図である。
【図１４】図１４は、本発明の第六実施形態に係るゴルフクラブの、フェラル部分における軸方向断面図である。
【符号の説明】
【００７９】
２・・・ゴルフクラブ
４・・・シャフト
６・・・グリップ
８・・・ゴルフクラブヘッド
１０、３０、５２、６０、７０・・・フェラル
１２・・・ホーゼル部（ネック部）
２６・・・ネック端面
２４、４０、４４、５８、６８、７２・・・凹部
ｔ２・・・外周部の肉厚
ｓ１、ｓ２、ｓ３、ｓ４・・・隙間
Ｆ・・・凹部の深さ
Ｈ・・・凹部の幅
Ｌ・・・フェラルのシャフト軸線方向長さ
【図１】
2007209573.tif 000004
【図２】
2007209573.tif 000005
【図３】
2007209573.tif 000006
【図４】
2007209573.tif 000007
【図５】
2007209573.tif 000008
【図６】
2007209573.tif 000009
【図７】
2007209573.tif 000010
【図８】
2007209573.tif 000011
【図９】
2007209573.tif 000012
【図１０】
2007209573.tif 000013
【図１１】
2007209573.tif 000014
【図１２】
2007209573.tif 000015
【図１３】
2007209573.tif 000016
【図１４】
2007209573.tif 000017